(57)【要約】【課題】既存の化粧プレートを取り外すことなく、可撓性カバーを見栄え良く、かつ、固定状態で取り付けることができる保護カバーの取付構造を得る。【解決手段】壁面１に形成した貫通穴２の周縁部に既存の化粧プレート４が取り付けられており、その化粧プレート４の外側を覆って壁面１に取り付けられる環状部材２０を設け、その環状部材２０に前記可撓性カバー１０を挿通する挿通口２１を形成するとともに、その挿通口２１の内周に前記可撓性カバー１０の蛇腹溝１１に係合する突起部２２を形成することにより、既存の化粧プレート４を取り外すことなく、環状部材２０を新たな化粧プレートとして用いることができ、可撓性カバー１０を環状部材２０の挿通口２１に隙間無く挿入して、その接続部分の外観上の見栄えを向上できるとともに、突起部２２に蛇腹溝１１を係合して可撓性カバー１０の端部を環状部材２０に固定することができる。【選択図】図１
2007147044.tif 000002
【特許請求の範囲】
【請求項１】
壁面の貫通穴から取り出されて壁面に沿って配索される配索体の外側を覆う蛇腹状の可撓性カバーと、貫通穴の取出口周縁部に取り付けられた既存の化粧プレートと、を備えた保護カバーの取付構造において、
前記化粧プレートの外側を覆って壁面に取り付けられる環状部材を設け、その環状部材に前記可撓性カバーを挿通する挿通口を形成するとともに、その挿通口の内周に前記可撓性カバーの蛇腹溝に係合する突起部を形成したことを特徴とする保護カバーの取付構造。
【発明の詳細な説明】
【技術分野】
【０００１】
本発明は、壁面に沿って配索される管状体や配線等の配索体の外側を覆う保護カバーの取付構造に関する。
【背景技術】
【０００２】
エアコンは室外機と室内機とを冷媒管で接続して冷媒を循環させるようになっており、一般に冷媒管は室外機から外壁に沿って室内機の配置部分まで配索した後、その外壁を貫通して室内機へと案内されるが、そのとき、室外および室内の壁面に沿って配索される冷媒管を保護カバーによって覆う場合がある。
【０００３】
通常、貫通穴の取出口周縁部にはリング状の化粧プレートが取り付けられており、化粧プレートから取り出した冷媒管が壁面に沿って配索される部分を保護カバーで覆うようになっている（例えば、特許文献１参照）。
【特許文献１】特開２０００−１７９７８３号公報（第４頁、第１図）
【発明の開示】
【発明が解決しようとする課題】
【０００４】
しかしながら、上記従来の保護カバーの取付構造では、壁面のコーナー部分に冷媒管を配索する場合に、予め直角に折曲されたエルボ状カバーを用いることになるが、このエルボ状カバーは、折曲部を境にして直角方向に延びる両端部の長さが予め定められている。
【０００５】
このため、貫通穴を壁面のコーナー部分近傍に形成せざるを得ない場合は、エルボ状カバーの片側端部の長さよりも貫通穴とコーナー部分との間の距離が短くなってしまうため、当該エルボ状カバーを用いることができない。また、コーナー部分が直角でない場合であっても同様にエルボ状カバーを用いることができない。
【０００６】
このようにエルボ状カバーを用いることができない場合には、屈曲自在な蛇腹状の可撓性カバーを用いて、冷媒管が貫通穴から取り出されて壁面のコーナー部分に配索される部分を当該可撓性カバーで覆い、可撓性カバーの貫通穴側の端部をその貫通穴に挿入するという処理が行われる場合がある。
【０００７】
ところが、貫通穴の取出口周縁部には、リング状の化粧プレートが取り付けられている場合が多く、その既設の化粧プレートの形状と新たに取り付けようとする可撓性カバーの形状とが異なる場合、それら両者間に隙間が発生して外観上の見栄えが悪くなり、また、可撓性カバーの端部は単に化粧プレートに差し込まれるのみであるため抜け易く、ひいては、配管の信頼性が低下されてしまう。
【０００８】
この場合、既存の化粧プレートを取り外して可撓性カバーに対応する化粧プレートに付け替えれば、化粧プレートと可撓性カバーの接続部分の見栄えを向上することができるのであるが、付け替える分、交換作業が余分に必要となって作業性が悪化するとともに、その化粧プレートを取り外す際に壁紙を破損してしまう恐れもある。
【０００９】
そこで、本発明は、既存の化粧プレートを取り外すことなく、可撓性カバーを見栄え良く、かつ、固定状態で取り付けることができる保護カバーの取付構造を得ることを目的とする。
【課題を解決するための手段】
【００１０】
請求項１の発明にあっては、壁面の貫通穴から取り出されて壁面に沿って配索される配索体の外側を覆う蛇腹状の可撓性カバーと、貫通穴の取出口周縁部に取り付けられた既存の化粧プレートと、を備えた保護カバーの取付構造において、上記化粧プレートの外側を覆って壁面に取り付けられる環状部材を設け、その環状部材に上記可撓性カバーを挿通する挿通口を形成するとともに、その挿通口の内周に上記可撓性カバーの蛇腹溝に係合する突起部を形成したことを特徴とする。
【発明の効果】
【００１１】
請求項１の発明によれば、環状部材で既存の化粧プレートを覆うことができるため、その既存の化粧プレートを取り外す必要が無くなるとともに、その環状部材を新たな化粧プレートとして用いることができる。
【００１２】
また、上記環状部材の挿通口を可撓性カバーの形状に沿って形成しておくことにより、可撓性カバーを環状部材の挿通口に隙間無く挿入して、その接続部分の外観上の見栄えを向上できるとともに、挿通口の内周に形成した突起部に可撓性カバーの蛇腹溝が係合されるので、その可撓性カバーの端部を環状部材に固定することができる。
【発明を実施するための最良の形態】
【００１３】
以下、本発明の一実施形態について図面を参照しつつ詳細に説明する。図１は、保護カバーの取付状態を示す斜視図、図２は、壁面のコーナー部分と貫通穴との位置関係を示す斜視図、図３は、貫通穴に環状部材を取り付けようとする斜視図であり、図４は、環状部材を表側から見た斜視図、図５は、環状部材の分解斜視図、図６は、環状部材を裏側から見た斜視図、図７は、環状部材の取付穴からキャップを取り外した状態を示す斜視図、図８は、図１中Ａ−Ａ線に沿った拡大断面図である。
【００１４】
本実施形態では、図１に示すように、壁面１に形成した貫通穴２に挿通した可撓性カバー１０を、その壁面１の直角では無いコーナー部分３を跨いで配索する場合について例示する。貫通穴２の周縁部には、図２に示すように、予め環状の化粧プレート４が取り付けられている。
【００１５】
可撓性カバー１０は、図１に示すように、蛇腹状のチューブ体で形成されて自在に折曲できるようになっており、配索体（例えば、エアコンの室外機と室内機とを繋いで冷媒を循環させる冷媒管Ｐ）が貫通穴２から取り込まれてコーナー部分３に配索される部分を覆った状態で取り付けられるようになっている。
【００１６】
そして、本実施形態では、図３，図４に示すように、この化粧プレート４の外側を覆って壁面１に取り付けられる環状部材２０を設け、その環状部材２０に可撓性カバー１０を挿通する挿通口２１を形成するとともに、その挿通口２１の内周には、可撓性カバー１０の蛇腹溝１１に係合する突起部２２を形成してある。
【００１７】
環状部材２０は、図６に示すように、裏側に突出する４つの外側壁Ｍ１〜Ｍ４で外周を形成し、図４に示すように、それぞれの外側壁Ｍ１〜Ｍ４が曲率半径の大きな円弧面で形成されるとともに、それぞれの外側壁Ｍ１〜Ｍ４が交わる角部Ｃ１〜Ｃ４を曲率半径の小さな円弧面で形成して、全体的に丸みを帯びた矩形状の外側形状として形成したものであり、既存の化粧プレート４を覆う化粧プレートとして機能する。
【００１８】
そして、環状部材２０の略中心部に形成される挿通口２１は、図４に示すように、表側に突出する４つの内側壁Ｎ１〜Ｎ４で囲われ、外側壁Ｍ１に対応する内側壁Ｎ１が外方に膨出する大きな曲率半径の円弧で形成されるとともに、残りの外側壁Ｍ２〜Ｍ４に対応する内側壁Ｎ２〜Ｎ４が直線状に形成されて、全体として略矩形状に形成される。もちろん、この挿通口２１の大きさは、可撓性カバー１０の外径に対応して決定される。
【００１９】
環状部材２０は、図５に示すように、１組の対向した外側壁（本実施形態ではＭ２とＭ４）の中央部から結合可能に２分割され、分割した２つの分割片２０Ａ，２０Ｂ間に可撓性カバー１０を挟んで挿通口２１に位置させた後に、図６に示すように、一方の分割片２０Ｂに設けたＵ字状のクリップ２３を、他方の分割片２０Ａの係合突起２４に係合させて両分割片２０Ａ，２０Ｂを一体化させることができ、冷媒管Ｐや可撓性カバー１０を配索した状態で環状部材２０を後付けすることができるようにしてある。
【００２０】
また、環状部材２０の４つの角部Ｃ１〜Ｃ４には、それぞれ取付穴２５が設けられており、それら取付穴２５に挿通したビス等の締結部材を介して壁面１に取り付けられるようにしてある。この取付穴２５の表側は、図７に示すように、凹設されており、その凹設部２５ａをキャップ２６で覆うことで、締結部材の頭部を隠蔽して外観上の見栄えを向上できるようにしてある。
【００２１】
突起部２２は、図８に示すように、可撓性カバー１０に形成された蛇腹部分の１ピッチｐ分の蛇腹溝１１の間隔を設けて、挿通口２１の周方向に連続して突設した２本の突条２２ａ，２２ｂによって構成され、可撓性カバー１０を挿通口２１に嵌合した際に、その可撓性カバー１０の端部の隣接する蛇腹溝１１に、突条２２ａ，２２ｂが係合するようになっている。
【００２２】
以上の構成により、本実施形態の保護カバーの取付構造によれば、既存の化粧プレート４の外側を覆って壁面１に取り付けられる環状部材２０を設けたので、その環状部材２０によって化粧プレート４を覆うことができるため、化粧プレート４に対応していない可撓性カバー１０を用いた場合にも、環状部材２０を新たな化粧プレートとして用いることができて、既存の化粧プレート４を取り外す必要が無くなるため作業性を向上することができるとともに、壁面１の壁紙を破損する等の不具合を防止することができる。
【００２３】
また、環状部材２０の挿通口２１を可撓性カバー１０の形状に沿って形成しておくことにより、その可撓性カバー１０を環状部材２０の挿通口２１に隙間無く挿入して、その接続部分の外観上の見栄えを向上することができる。
【００２４】
さらに、環状部材２０の挿通口２１の内周に可撓性カバー１０の蛇腹溝１１に係合する突起部２２を形成したので、可撓性カバー１０の一端部を環状部材２０の挿通口２１に挿入した際にその端部を環状部材２０に固定できて、接続部分の信頼性を高めることができる。
【００２５】
以上、本発明を上記実施形態に例をとって説明したが、本発明はこれら実施形態に限られるものではなく、本発明の要旨を逸脱しない範囲で他の実施形態を各種採用することができる。
【００２６】
例えば、上記実施形態では、挿通口２１の内周に形成した突起部２２を、２本の突条２２ａ，２２ｂによって形成したが、１本の突条若しくは３本以上の突条で構成してもよく、また、突起部２２は周方向に連続することなく適宜間隔を設けて断続的に形成してもよい。
【００２７】
さらに、環状部材２０は矩形状に限ることなく円形状若しくはその他の形状に形成することができるとともに、配索体は冷媒管Ｐ等の管状体に限られず、配線の場合にあってもこれを配索体として本発明を実施することができる。
【図面の簡単な説明】
【００２８】
【図１】本発明の一実施形態における保護カバーの取付状態を示す斜視図。
【図２】本発明の一実施形態における壁面のコーナー部分と貫通穴との位置関係を示す斜視図。
【図３】本発明の一実施形態における貫通穴に環状部材を取り付けようとする斜視図。
【図４】本発明の一実施形態における環状部材を表側から見た斜視図。
【図５】本発明の一実施形態における環状部材の分解斜視図。
【図６】本発明の一実施形態における環状部材を裏側から見た斜視図。
【図７】本発明の一実施形態における環状部材の取付穴からキャップを取り外した状態を示す斜視図。
【図８】図１中Ａ−Ａ線に沿った拡大断面図。
【符号の説明】
【００２９】
１  壁面
２  貫通穴
４  既存の化粧プレート
１０  可撓性カバー
１１  蛇腹溝
２０  環状部材
２１  挿通口
２２  突起部
Ｐ  冷媒管（配索体）
【図１】
2007147044.tif 000003
【図２】
2007147044.tif 000004
【図３】
2007147044.tif 000005
【図４】
2007147044.tif 000006
【図５】
2007147044.tif 000007
【図６】
2007147044.tif 000008
【図７】
2007147044.tif 000009
【図８】
2007147044.tif 000010